(57)【特許請求の範囲】
【請求項１】
移動通信システムにおける無線アクセスネットワーク装置であって、
あるセルに固有の識別子と、セルの階層構造において前記あるセルが属している無線アクセスネットワーク装置に固有に対応する識別子とを含む周辺セル情報を作成する周辺セル情報生成手段と、
前記周辺セル情報を移動局に送信する送信手段と
を備える無線アクセスネットワーク装置。
【請求項２】
前記固有に対応する識別子が、前記無線アクセスネットワーク装置固有の識別子である、請求項１に記載の無線アクセスネットワーク装置。
【請求項３】
前記固有に対応する識別子が、前記無線アクセスネットワーク装置の周波数固有の識別子である、請求項１に記載の無線アクセスネットワーク装置。
【請求項４】
前記無線アクセスネットワーク装置固有の識別子が該無線アクセスネットワーク装置固有のスクランブルコードであり、
前記あるセルに固有の識別子が該セルに固有のスクランブルコードである、請求項２に記載の無線アクセスネットワーク装置。
【請求項５】
前記周辺セル情報が、前記あるセルに固有の識別子に付随するショートセル識別子も含む、請求項１乃至４に記載の無線アクセスネットワーク装置。
【請求項６】
移動局及び無線アクセスネットワーク装置を含む移動通信システムにおける周辺セル情報報知方法であって、
あるセルに固有の識別子と、セルの階層構造において前記あるセルが属している無線アクセスネットワーク装置に固有に対応する識別子とを含む周辺セル情報を作成し、
前記周辺セル情報を移動局に送信するステップ
を有する周辺セル情報報知方法。
【請求項７】
前記固有に対応する識別子が、前記無線アクセスネットワーク装置固有の識別子である、請求項６に記載の周辺セル情報報知方法。
【請求項８】
前記固有に対応する識別子が、前記無線アクセスネットワーク装置の周波数固有の識別子である、請求項６に記載の周辺セル情報報知方法。
【請求項９】
前記無線アクセスネットワーク装置固有の識別子が該無線アクセスネットワーク装置固有のスクランブルコードであり、
前記あるセルに固有の識別子が該セルに固有のスクランブルコードである、請求項７に記載の周辺セル情報報知方法。
【請求項１０】
前記周辺セル情報が、前記あるセルに固有の識別子に付随するショートセル識別子も含む、請求項６乃至９に記載の周辺セル情報報知方法。
【発明の詳細な説明】
【技術分野】
【０００１】
本発明は無線通信の技術分に関連し、特に移動局、無線アクセスネットワーク装置および周辺セル情報報知方法に関する。
【背景技術】
【０００２】
IMT2000通信システムのような移動通信システムでは、移動局はセルを監視している。このため、周辺セル情報が報知情報としてまたは個別に送信する情報として、移動局に通知されている（例えば、非特許文献１参照。）。周辺セル情報には、各セルで使用しているPrimary CPICH (Common Pilot Channel)のスクランブリングコード(9 bits)や、セル間のタイミングオフセットが含まれている。
【非特許文献１】3GPP TS25.331 8.6.7
【非特許文献２】3GPP TS25.814 7.1.1.5
【発明の開示】
【発明が解決しようとする課題】
【０００３】
しかしながら、このような手法では、例えば、同一基地局内のセル間ハンドオーバ手順と基地局間のセル間ハンドオーバ手順を別手順としたい場合、移動局は同一基地局に属するか、否かを判断することができない。
【０００４】
同一基地局内か否かでハンドオーバ手順を変えたいケースの例としては、高速セル選択（FCC:  Fast cell selection）の要請が挙げられる。セル間のハンドオーバは通常、RRC (Radio Resource Control)プロトコルを使用して制御され、RRCプロトコルはより低レイヤのプロトコルに比べて処理速度が遅く、非特許文献２記載の0.5msでセルを切り替えるような高速制御は困難である。同一基地局内のセル間でハンドオーバが行われる場合には、基地局間の通信が不要なので低レイヤのプロトコルで高速に処理できるかもしれない。しかしながら既存の手法では移動局はハンドオーバに関する基地局の異同を区別していない。従って既存の手法では高速セル変更を行うことができない。
【０００５】
本発明の目的は、同一基地局内のハンドオーバか否かによって、移動局動作を切り替え可能にする無線アクセスネットワーク装置および周辺セル情報報知方法を提供することにある。
【課題を解決するための手段】
【０００６】
一実施例による無線アクセスネットワーク装置は、
移動通信システムにおける無線アクセスネットワーク装置であって、
あるセルに固有の識別子と、セルの階層構造において前記あるセルが属している無線アクセスネットワーク装置に固有に対応する識別子とを含む周辺セル情報を作成する周辺セル情報生成手段と、
前記周辺セル情報を移動局に送信する送信手段と
を備える無線アクセスネットワーク装置である。
【０００７】
このように構成することにより、周辺セル情報を受信した移動局がセルの階層構造を判断することができる。同一基地局内のセル間か否かで移動局動作が切り替えられ、同一基地局内のハンドオーバはRRCよりも低いレイヤで高速に制御される。
【０００８】
一実施例による周辺セル情報報知方法は、
移動局及び無線アクセスネットワーク装置を含む移動通信システムにおける周辺セル情報報知方法であって、
あるセルに固有の識別子と、セルの階層構造において前記あるセルが属している無線アクセスネットワーク装置に固有に対応する識別子とを含む周辺セル情報を作成し、
前記周辺セル情報を移動局に送信するステップ
を有する周辺セル情報報知方法である。
【０００９】
このように構成することにより、周辺セル情報を受信した移動局がセルの階層構造を判断することができる。
【発明の効果】
【００１０】
本発明の実施例によれば、周辺セル情報を受信した移動局が、第一セル識別子と第二セル識別子から、セルの階層構造を理解し、第一セル識別子が異なる場合は、移動局動作を切り替えることを可能とする。
【発明を実施するための最良の形態】
【００１１】
次に、本発明を実施するための最良の形態を、以下の実施例に基づき、図面を参照しつつ説明する。なお、実施例を説明するための全図において、同一機能を有するものは同一符号を用い、繰り返しの説明は省略する。
【００１２】
本実施例にかかる移動通信システムについて、図１を参照して説明する。
【００１３】
本実施例にかかる移動通信システムは、移動局１００と、無線アクセスネットワーク装置２００とを備える。
【００１４】
移動局１００と無線アクセスネットワーク装置２００とは少なくとも共有データチャネル(Shared Data Channel)により互いに無線通信を行うことができる。
【００１５】
本実施例においては、無線アクセスネットワーク装置２００が、無線基地局の機能も兼備し、直接移動局１００と無線通信を行う。他の実施例では、無線アクセスネットワーク装置２００が、無線基地局の機能を備えず、無線アクセスネットワーク装置２００により制御される複数の無線基地局が用意され、それらの無線基地局を介して、移動局１００との通信が行われてもよい。
【００１６】
次に、本実施例にかかる無線アクセスネットワーク装置２００について、図２を参照して説明する。
【００１７】
無線アクセスネットワーク装置２００は、送受信手段としてのデータ送受信部２１０と、データ送受信部２１０と接続された周辺セル情報生成部２２０と、周辺セル情報生成部２２０と接続された第一セル識別子選択部２３０と第二セル識別子選択部２４０とを備える。無線アクセスネットワーク装置２００が無線基地局と無線制御装置で構成される場合には、各機能の全部又は一部が無線基地局に分散されてもよい。
【００１８】
データ送受信部２１０は、移動局１００から送信された上り信号および他の上り信号を受信する。また、データ送受信部２１０は、移動局１００や他の移動局に送信する周辺セル情報や他の下り信号の送信を行う。
【００１９】
第一セル識別子選択部２３０および第二セル識別子選択部２４０は、それぞれセル識別子の選択を行う。
【００２０】
セルの構成は図３に示されるような階層構造でもよく、この場合、親木部分を第一セル識別子とし、子木（枝）部分を第二セル識別子としても良い。例えば、親木部分は、無線アクセスネットワーク装置とし、前記無線アクセスネットワーク装置固有の識別子を第一セル識別子として選択しても良い（或る無線アクセスネットワーク１に属するセルがａ〜ｅで区別され、別の無線アクセスネットワーク２に属するセルがａ〜ｅで区別される。）。無線アクセスネットワーク装置固有のスクランブルコードを前記第一セル識別子としても良い。一方、子木（枝）部分を同一無線アクセスネットワーク装置内のセルとし、前記無線アクセスネットワーク装置内のセル固有の識別子を第二セル識別子として選択しても良い。無線アクセスネットワーク装置内のセル固有のスクランブルコードを前記第二セル識別子としても良い。
【００２１】
また、例えば、親木部分は、無線アクセスネットワーク装置内の周波数とし、前記無線アクセスネットワーク装置の周波数固有の識別子を第一セル識別子として選択しても良い。一方、子木（枝）部分を同一無線アクセスネットワーク装置内で、かつ同一周波数内のセルとし、前記無線アクセスネットワーク装置内で、かつ同一周波数内のセル固有の識別子を第二セル識別子として選択しても良い。
【００２２】
また、図４に示すように、第二セル識別子として、第二セル識別子と付随するショートセル識別子を併せて第二セル識別子としても良い。上り信号の長さを短縮するため移動局が送信する上り信号にセル識別子を入れる必要がある場合は、このようにショートセル識別子が通知されてもよい。
【００２３】
本実施例にかかる無線アクセスネットワーク装置２００は、例えば、図５に示すように、制御装置２０１と無線基地局装置２０２とにより実現されてもよい。本実施例では、無線アクセスネットワーク装置２００が無線制御装置２０１の機能および無線基地局２０２の機能を備えている場合について説明したが、無線制御装置２０１と、無線基地局２０２とが別々に用意されてもよい。但し、データ伝送に伴う遅延時間を短くする観点からは、それらは同一装置内に用意することが望ましい。
【００２４】
以上のように、移動局がセルの階層構造を判断可能とすることにより、第一セル識別子の異同に基づいて、ハンドオーバに関する移動局動作を適切に切り替えることができる。
【図面の簡単な説明】
【００２５】
【図１】本発明の一実施例にかかる移動通信システムを示すブロック図である。
【図２】本発明の一実施例にかかる無線アクセスネットワーク装置を示すブロック図である。
【図３】本発明の一実施例にかかる第一セル識別子と第二セル識別子の構成図である。
【図４】本発明の一実施例にかかる第二セル識別子の構成図である。
【図５】本発明の一実施例にかかる無線アクセスネットワーク装置を示すブロック図である。
【符号の説明】
【００２６】
１００  移動局
２００  無線アクセスネットワーク装置
２１０  データ送受信部
２２０  周辺セル情報生成部
２３０，２４０  セル識別子選択部
【図１】
0004795046.tif 000002
【図２】
0004795046.tif 000003
【図３】
0004795046.tif 000004
【図４】
0004795046.tif 000005
【図５】
0004795046.tif 000006